(57)【特許請求の範囲】
【請求項１】
縦長の基枠体の上部と下部に鉤部材が枢着され、上下の該鉤部材が該基枠体内に摺動可能に配設された連結杆により連結され、該基枠体の中間部に配置したシリンダ錠の錠軸にカム板が固定され、該カム板を該連結杆に係合可能とし、該シリンダ錠の回動操作により該鉤部材を傾動させて解錠するゲーム機用施錠装置において、
該基枠体が取付板と支持板と折曲端部を有して断面略コ字形に縦長に形成され、該基枠体とは別個に錠取付板が形成され、該錠取付板には該基枠体の取付板の前面に接して固定される固定部と該固定部から該取付板の外側に延設される錠取付部とが設けられ、該錠取付板は、該基枠体の取付板前面の選択された位置に、該固定部を該基枠体の取付板の前面に接し該錠取付部を外側に出してかしめ加工または固定ねじにより固定され、該錠取付部には該シリンダ錠が該錠取付部に設けた孔にその円筒部を通しその末端のフランジ部を該錠取付部に固定して取り付けられ、該基枠体の支持板には、前記シリンダ錠の錠軸に固定されたカム板の係合部を挿入するための複数の挿通孔が該錠取付板の取付位置に応じて形成されると共に、該連結杆には複数の係合孔が該挿通孔の位置に応じて形成され、該錠取付板上の該シリンダ錠の錠軸上のカム板が、該基枠体の支持板の外側から該支持板に設けた挿通孔を通して該連結杆の係合孔に係合可能に構成したことを特徴とするゲーム機用施錠装置。
【請求項２】
前記錠取付板の固定部側の端部に、前記基枠体の折曲端部の角部に外側から係合して位置決めするための折曲部が設けられたことを特徴とする請求項１記載のゲーム機用施錠装置。
【請求項３】
前記錠取付板上には非接触スイッチが取り付けられ、前記カム板の一部に該非接触スイッチを作動させるスイッチ作動部が設けられたことを特徴とする請求項１記載のゲーム機用施錠装置。
【発明の詳細な説明】
【０００１】
【発明の属する技術分野】
本発明は、スロツトマシン（パチスロ）、パチンコ機等のゲーム機の前面枠を施錠する施錠装置に関する。
【０００２】
【従来の技術】
従来、例えばパチスロの前面枠を本体枠に対し施錠する施錠装置として、縦長の基枠体の上部と下部に鉤部材を枢着し、上下の鉤部材を基枠体内に摺動可能に配設された連結杆により連結し、基枠体の中間部にシリンダ錠をその錠軸を内側に差し込むように取付けると共に、その錠軸に連結杆と係合するカム板を固定した構造の施錠装置が知られている。この施錠装置は、ゲーム機の前面枠の内側に取付けられ、前面枠の閉鎖時に、ゲーム機のキャビネット（本体）側に取付けられた受け金具に、上下の鉤部材を係止して施錠される。
【０００３】
【発明が解決しようとする課題】
パチスロ等のゲーム機は、非常に多くの機種が製造販売されており、また、ゲーム機の前面枠には多くの電気部品等が取り付けられ、施錠装置が配置されるスペースは非常に狭く限られた箇所になっていると共に、ゲーム機の前面枠のデザインにも各種のものがあるため、そのデザインに応じて施錠装置のシリンダ錠の位置も異なったものとなる。
【０００４】
このために、ゲーム機用の施錠装置は、そのゲーム機の専用に近い形で製作せざるを得ず、キャビネット側の受け金具に係止するフック状の鉤部材の位置は、比較的任意に決定できるものの、シリンダ錠の位置は、そのゲーム機に合わせた位置に配置する必要がある。
【０００５】
従来使用されている通常のゲーム機用施錠装置は、基枠体の取付板に、シリンダ錠を取り付ける座部として幅広部を形成し、その幅広部上にシリンダ錠を取り付けているため、シリンダ錠の取付位置が異なる毎に基枠体を専用に設計し、製造していた。このために、各種のゲーム機の機種に合わせた各種の施錠装置を製造する必要があって、施錠装置の部品点数や加工工数が増大し、製造コストの増大をまねいていた。また、基枠体の取付板の所定位置にシリンダ錠取付用の幅広部をプレス加工により形成しているため、寸法精度が出しにくいという問題があった。
【０００６】
本発明は、上記の課題を解決するためになされたもので、複数種のゲーム機用の施錠装置を、共通部品を用いて容易に製造することができ、部品点数や加工工数を少なくして製造コストの低減を図ることができるゲーム機用施錠装置を提供することを目的とする。
【０００７】
【課題を解決するための手段】
上記目的を達成する本発明のゲーム機用施錠装置は、縦長の基枠体の上部と下部に鉤部材が枢着され、上下の鉤部材が基枠体内に摺動可能に配設された連結杆により連結され、基枠体の中間部に配置したシリンダ錠の錠軸にカム板が固定され、カム板を連結杆に係合可能とし、シリンダ錠の回動操作により鉤部材を傾動させて解錠するゲーム機用施錠装置において、基枠体が取付板と支持板と折曲端部を有して断面略コ字形に縦長に形成され、基枠体とは別個に錠取付板が形成され、錠取付板には基枠体の取付板の前面に接して固定される固定部と固定部から取付板の外側に延設される錠取付部とが設けられ、錠取付板は、基枠体の取付板前面の選択された位置に、固定部を基枠体の取付板の前面に接し錠取付部を外側に出してかしめ加工または固定ねじにより固定され、錠取付部にはシリンダ錠が錠取付部に設けた孔にその円筒部を通しその末端のフランジ部を錠取付部に固定して取り付けられ、基枠体の支持板には、シリンダ錠の錠軸に固定されたカム板の係合部を挿入するための複数の挿通孔が錠取付板の取付位置に応じて形成されると共に、連結杆には複数の係合孔が挿通孔の位置に応じて形成され、錠取付板上のシリンダ錠の錠軸上のカム板が、基枠体の支持板の外側から支持板に設けた挿通孔を通して連結杆の係合孔に係合可能に構成したことを特徴とする。
【０００８】
【作用】
このように構成されたゲーム機用施錠装置は、装着するゲーム機の機種に応じて、その錠取付板が基枠体の選択された位置に配置され、基枠体の取付板の前面の固定部に錠取付板が、かしめ又は固定ねじにより固定される。このとき、錠取付板に固定されたシリンダ錠のカム板の係合部は、基枠体の支持板に設けた挿通孔を通して内側の連結杆の係合孔に係合可能とされる。
【０００９】
施錠装置の基枠体はゲーム機の前面枠の内側に取付けられ、本体側に受け金具がその鉤部材に対応した位置に取付けられる。前面枠を本体側に閉じると、上下の鉤部材が傾動しながら受け金具に係止され、施錠状態となる。解錠する場合は、所定の鍵をシリンダ錠に挿入し、その錠軸を回してカム板を回動させ、連結杆を介して鉤部材を回動させ、受け金具との係合を解除して行う。
【００１０】
このように、本施錠装置の基枠体は、幅広部を設けずに単純な断面略コ字形の縦長枠体、つまりチャンネル状としているので、プレス加工により簡単に製造することができ、高い強度を持たせることができる。
【００１１】
また、基枠体とは別個に形成された錠取付板上にシリンダ錠が取り付けられ、基枠体の支持板には、複数の挿通孔が錠取付板の取付位置に応じて形成され、連結杆には複数の係合孔が錠取付板の取付位置に応じて形成され、基枠体の前面の固定部に選択的に固定された錠取付板上のシリンダ錠の錠軸のカム板が、基枠体の支持板の外側から支持板に設けた挿通孔を通して連結杆の係合孔に係合可能に構成したから、複数の機種のゲーム機に対し、基枠体や錠取付板の部品を共通に使用することができ、錠取付板における基枠体の取付板への固定位置を変更するだけで、複数機種のゲーム機に対応することができ、少ない部品点数と加工工数で、複数機種のゲーム機用の施錠装置を低コストで製造することができる。
【００１２】
更に、錠取付板の端部に、基枠体の取付板の角部に外側から係合する折曲部を設ければ、この折曲部を基枠体の取付板の角部に係合させて位置決めした状態で、錠取付板の固定部と基枠体の取付板を精度良く固定することができる。また、錠取付板の固定部と基枠体の取付板をかしめ加工によりかしめて固定する構成とすれば、プレス加工のみより精度良く基枠体の所定位置に錠取付板を固定することができる。
【００１３】
【発明の実施の形態】
以下、本発明の実施例を図面に基づいて説明する。図１はゲーム機用施錠装置の正面図を、図２は同左側面図を、第３図は同右側面図を示している。３は、取付板１の両側に支持板２と折曲端部４と略直角に折り曲げて断面略コ字状に一体成形された縦長の基枠体で、基枠体３の支持板２の上部と下部には、鉤部材８、８がその末端部を枢軸８ａ、８ａにより揺動可能に軸支される。即ち、取付板１の開放側の側端部に、幅の狭い折曲端部４が、背面側に垂直に曲げて形成され、取付板１と支持板２と折曲端部４とにより基枠体３を断面コ字状として補強すると共に、前面枠の隙間から針金などを差し込んで不正にカム板や連結杆を動かすことを防止している。
【００１４】
この基枠体３は、図１に示すように、中間部に幅広部を設けることなく、その取付板１が完全に両側部を直線状とした帯状に形成され、単純な断面コ字状のチャンネル材に類似したチャンネル状とすることにより、プレス加工により容易に成形が可能となり、充分に高い強度を有した構造とされる。
【００１５】
両鉤部材８、８の中間部は軸８ｂ、８ｂを介して帯状の連結杆９の上端と下端に連結される。連結杆９は、支持板２の内側に沿つて摺動可能に配設され、その中間部に長穴９ｂが形成される。支持板２の対応箇所にガイドピン２ｂがその長穴９ｂを通して固定され、連結杆９の上下動がガイドピン２ｂによりガイドされる。連結杆９と取付板１の間に、連結杆９を上方に付勢するためのコイルばね１３が掛けられる。連結杆９には、後述のシリンダ錠１０のカム板６の係合部６ａが係合するための係合孔９ａが複数個設けられる。これらの係合孔９ａ，９ａ，９ａはその位置を上下にずらして例えば３個設けられ、シリンダ錠１０の配置位置つまり錠取付板５の取付位置に合わせて、共通の基枠体３と連結杆９が使用できるように構成される。また、支持板２には、これらの連結杆９の係合孔９ａ，９ａ，９ａに対応した位置に、挿通孔２ａ，２ａ，２ａが設けられる。
【００１６】
図９に示すように、シリンダ錠が取り付く錠取付板５は、基枠体３とは別個の部材として形成され、支持板２の略中央部の予め設定された位置に、かしめ加工により固定される。かしめ加工は、図１０（ａ）に示すように、例えばプレス機によりポンチ３０と凹状のダイを用いて行なわれ、錠取付板５と基枠体３の取付板１を所定位置に合わせた状態で、プレス機によりポンチ３０と凹状のダイ３１を両材料を挟むように相互に加圧・押圧し、両材料を塑性変形させて、錠取付板５と基枠体３を固定する。なお、錠取付板５の基枠体３の取付板１への固定は、かしめ加工による固定の他、図１０（ｂ）に示すように、固定ねじ１９により固定することもできる。また、溶接やリベットにより錠取付板５を取付板１に固定することもできる。
【００１７】
錠取付板５は、基枠体３の取付板１が当接する固定部５ａと、その固定部５ａの左側に延設された錠取付部と、固定部５ａの右側端部に設けた折曲部５ｂと、を有し、その錠取付部上にシリンダ錠１０が取り付けられる。図５に示すように、錠取付板５は、その幅方向については、その折曲部５ｂの角部を基枠体３の折曲端部４の角部に合わせて位置決めされ、固定されるが、基枠体３の長手方向については、そのカム板６の係合部６ａが、連結杆９の係合孔９ａ，９ａ，９ａと支持板２の挿通孔２ａ，２ａ，２ａの何れかに係合可能な位置に選択され、位置決めされる。このような錠取付板５の位置の選択により、シリンダ錠１０の位置が選択され、各種のゲーム機に合わせた施錠装置を製造することができる。
【００１８】
シリンダ錠１０は、長尺なケーシングを有して形成され、その元部には取付用のフランジ部１０ｂが設けられ、錠取付板５に取り付ける場合には、錠取付板に設けた孔にその円筒部を通し、フランジ部１０ｂを錠取付板５の背面側にねじ止めすることにより、固定される。
【００１９】
シリンダ錠１０の錠軸１１の先端にカム板６が固定され、このカム板６は略Ｌ字形に形成され、係合部６ａとスイッチ作動部６ｂが各々先端部に設けられる。係合部６ａは、シリンダ錠１０の右側への回動時、上述のように、連結杆９の中間部に設けた係合孔９ａの何れ１つに係合可能である。さらに、錠取付板５上には非接触スイッチ（透過形光電スイッチ或は近接スイッチなど）７が取り付けられる。非接触スイッチ７は、シリンダ錠１０が鍵により左に操作され、錠軸１１つまりカム板６が同方向に所定の角度回動した時、そのスイッチ作動部６ｂが非接触スイッチ７内に進入し、それをオンさせる位置に配置される。非接触スイッチ７の取付部は、錠取付板５の一部を上方に垂直に曲げそこに矩形孔を設けるだけの簡単な構造でよく、取り付けもスイッチを嵌め込むだけで簡単に行なうことができる。
【００２０】
錠軸１１の外周に、復帰用の捩りばね１２が外嵌され、スイッチ作動方向にシリンダ錠１０を操作した時、この捩りばね１２によって自動的に元の位置に戻す。この捩りばね１２は小形のばねでよく、その端部をフランジ部とカム板に掛けるだけで簡単にセットすることができる。
【００２１】
さらに、支持板２の下部は幅広に形成され、その幅広部の外側にローラ１５が回転自在に軸支され、このローラ１５は前面枠の閉鎖時に、ゲーム機の本体側に取付けられた受け金具２３の滑り板２４上にのり上げ、開閉動作を容易にする。なお、図６に示すように、シリンダ錠１０の鍵穴先端部には、錠軸先端を中心に円錐状凹部１０ａが形成され、この円錐状凹部１０ａがガイドとなって鍵の差し込みを容易にしている。
【００２２】
上記構成のゲーム機用施錠装置は、図８に示すように、パチスロ等のゲーム機における前面枠２１の内側に、その基枠体３の取付板１をねじで固定して縦に装着される。
【００２３】
基枠体３は、ゲーム機の前面枠２１の全高に略相当する長さに形成され、その上部の鉤部材８より上方に延設部３ａが延設され、そのローラ１５の枢支部より下方に延設部３ｂが延設され、延設部３ａ，３ｂを上下に一体に設けた基枠体３が、前面枠２１の内側に固定されるから、この長尺縦長の基枠体３の固定によって、前面枠２１は効果的に補強される。特に、強度の低い合成樹脂製の前面枠にあっては、このような施錠装置の基枠体３をその内側の略全高にわたって固定することにより、効果的に補強することができる。
【００２４】
ゲーム機の本体２０側には、縦長の受け金具２５が上下の鉤部材８に対応した位置に沿って固定ねじ等により固定される。受け金具２５には略Ｌ形に曲折され内側に突出した係止部２２、２３が、上下の鉤部材８に対応した位置に設けられ、係止部２３の下部には滑り板２４が設けられる。
【００２５】
前面枠２１を閉鎖する場合、前面枠２１を本体２０に対し押し付けるように閉じると、上下の鉤部材８が下方に揺動しながら上方に戻って係止部２２、２３と係合し、前面枠２１はロツクされる。閉鎖時、ローラ１５が本体側の滑り板２４に載り、前面枠２１が僅かに持ち上げられ、円滑に閉じられる。
【００２６】
一方、ゲーム機の前面枠２１を開く場合、鍵をシリンダ錠１０に差し込み、これを時計（右）方向に回す。シリンダ錠１０の錠軸１１がカム板６を図４の反時計方向に回し、カム板６上の係合部６ａが連結杆９の長孔に係合し、これを下方に摺動させる。この時、上下両端の鉤部材８が下方へ揺動し、受け金具２５の係止部２２、２３との係合が外れ、解錠状態となり、前面枠２１は開放可能な状態となる。
【００２７】
リセット用の非接触スイッチ７を動作させてリセットをかける場合、解錠するための鍵を用いて、解錠とは反対方向つまり反時計方向に鍵を回す。この時、カム板６が図７の時計方向に回動し、その一部であるスイッチ作動部６ｂを非接触スイッチ７内に進入する。これによって、非接触スイッチ７が作動し、リセット信号が出力されリセットがかかる。なお、鍵によるリセット操作は、錠軸１１に外嵌した捩りばね１２により戻され、リセット後は自動的にカム板６は図４の位置に戻る。
【００２８】
このように、シリンダ錠１０を取り付ける錠取付板５が、基枠体３とは別個に形成され、基枠体３の取付板１への錠取付板５の取付位置を、予め連結杆９の係合孔９ａ，９ａ，９ａと支持板２の挿通孔２ａ，２ａ，２ａについて決定された位置に、選択することができるから、シリンダ錠の位置（高さ位置）が異なる複数種のゲーム機で使用可能な施錠装置を、基枠体３、錠取付板５等の共通部品を使用して製造することが可能となり、それにより、製造コストを大幅に低減することができる。また、基枠体３が、その取付板１の両側に支持板２と折曲端部４を背面側に直角に曲折してなる断面コ字状の部材、つまりチャンネル状の部材から構成されるから、基枠体の強度が増大し、取付板の途中に幅広部がなく単純な形状であるために、寸法のばらつきを最小にすることができる。
【００２９】
【発明の効果】
以上説明したように、本発明のゲーム機用施錠装置によれば、複数の機種のゲーム機に対し、基枠体や錠取付板の部品を共通に使用することができ、錠取付板における基枠体の取付板への固定位置を変更するだけで、複数機種のゲーム機に対応することができ、少ない部品点数と加工工数で、複数機種のゲーム機用の施錠装置を低コストで製造することができる。また、基枠体が、幅広部を設けずに単純な断面略コ字形の縦長枠体、つまりチャンネル状としているので、プレス加工により簡単に製造することができ、且つ高い強度を持たせることができる。
【図面の簡単な説明】
【図１】本発明の一実施形態を示すゲーム機用施錠装置の正面図である。
【図２】同左側面図である。
【図３】同右側面図である。
【図４】同背面図である。
【図５】同平面図である。
【図６】鉤部材を解錠動作させた状態の右側面図である。
【図７】スイッチをリセット操作した状態の背面図である。
【図８】装置の使用状態を示す左側面図である。
【図９】錠取付板を外した状態の分解斜視図である。
【図１０】（ａ）は、かしめ加工により錠取付板を取り付けた状態の拡大断面図、（ｂ）は固定ねじにより錠取付板を取り付けた状態の拡大断面図である。
【符号の説明】
１−取付板
２−支持板
３−基枠体
６−カム板
６ｂ−スイッチ作動部
７−非接触スイッチ
８−鉤部材
９−連結杆
１０−シリンダ錠
【図１】
0003697684.tif 000002
【図２】
0003697684.tif 000003
【図３】
0003697684.tif 000004
【図４】
0003697684.tif 000005
【図５】
0003697684.tif 000006
【図６】
0003697684.tif 000007
【図７】
0003697684.tif 000008
【図８】
0003697684.tif 000009
【図９】
0003697684.tif 000010
【図１０】
0003697684.tif 000011